(57)【要約】【課題】複数の車両用ドアを自動で閉制御する車両用ドア制御装置において、操作者に複数の車両用ドアの閉動作を目視で確認させやすくできる技術を提供する。【解決手段】車両用ドア制御装置１０において、取得部２０は、複数の自動閉動作する車両用ドアの開閉状態を取得する。受付部１２は、操作者の閉操作を受け付ける。閉制御部４２は、受付部１２により閉操作が受け付けられた場合に、取得部２０で開状態にあることを取得された複数の自動閉動作する車両用ドアを、所定の優先順位に基づいて時間差を設けて閉制御する。【選択図】図１
2018115508.tif 000002
【特許請求の範囲】
【請求項１】
複数の自動閉動作する車両用ドアの開閉状態を取得する取得部と、
操作者の閉操作を受け付ける受付部と、
前記受付部により前記閉操作が受け付けられた場合に、前記取得部で開状態にあることを取得された複数の自動閉動作する車両用ドアを、所定の優先順位に基づいて時間差を設けて閉制御する閉制御部と、
を備えることを特徴とする車両用ドア制御装置。
【請求項２】
前記複数の自動閉動作する車両用ドアは、左右のスライドドアを含むことを特徴とする請求項１に記載の車両用ドア制御装置。
【請求項３】
前記操作者と反対側の前記スライドドアの前記優先順位は、前記操作者側の前記スライドドアの前記優先順位より高いことを特徴とする請求項２に記載の車両用ドア制御装置。
【請求項４】
前記複数の自動閉動作する車両用ドアは、バックドアをさらに含み、
前記閉制御部は、前記バックドアの前記優先順位を、前記操作者の前記閉操作に基づいて決定することを特徴とする請求項２または３に記載の車両用ドア制御装置。
【請求項５】
前記受付部は、前記操作者の前記閉操作を受け付けるドアロックスイッチまたはドアロック用のタッチセンサを含み、
前記車両用ドア制御装置は、前記受付部により前記閉操作が受け付けられた場合に、前記複数の自動閉動作する車両用ドアをロックするロック制御部をさらに備えることを特徴とする請求項１から４のいずれかに記載の車両用ドア制御装置。
【発明の詳細な説明】
【技術分野】
【０００１】
本発明は、複数の車両用ドアを自動で閉制御する車両用ドア制御装置に関する。
【背景技術】
【０００２】
リモコンに設けられた左操作スイッチと右操作スイッチの操作に基づいて、車両の左右のスライドドアのそれぞれを自動開閉させるスライドドア制御システムが知られている（例えば、特許文献１参照）。このシステムでは、所定時間内に左操作スイッチと右操作スイッチの双方が操作された場合に、左右のスライドドアを同時に開閉制御する。
【先行技術文献】
【特許文献】
【０００３】
【特許文献１】特開２０１３−１１３００５号公報
【発明の概要】
【発明が解決しようとする課題】
【０００４】
上記技術では、左右のスライドドアが同時に閉じる際に、車外のスイッチ操作者は、自らに近い操作者側のスライドドアの動作を注視してしまい、操作者と反対側のスライドドアの動作を確認し難い可能性がある。
【０００５】
本発明はこうした状況に鑑みてなされたものであり、その目的は、複数の車両用ドアを自動で閉制御する車両用ドア制御装置において、操作者に複数の車両用ドアの閉動作を目視で確認させやすくできる技術を提供することにある。
【課題を解決するための手段】
【０００６】
上記課題を解決するために、本発明のある態様の車両用ドア制御装置は、複数の自動閉動作する車両用ドアの開閉状態を取得する取得部と、操作者の閉操作を受け付ける受付部と、前記受付部により前記閉操作が受け付けられた場合に、前記取得部で開状態にあることを取得された複数の自動閉動作する車両用ドアを、所定の優先順位に基づいて時間差を設けて閉制御する閉制御部と、を備える。
【０００７】
この態様によると、開状態にある複数の自動閉動作する車両用ドアを、所定の優先順位に基づいて時間差を設けて閉制御するので、車外の操作者に複数の自動閉動作する車両用ドアの閉動作を目視で確認させやすくできる。
【０００８】
前記複数の自動閉動作する車両用ドアは、左右のスライドドアを含んでもよい。
【０００９】
前記操作者と反対側の前記スライドドアの前記優先順位は、前記操作者側の前記スライドドアの前記優先順位より高くてもよい。
【００１０】
前記複数の自動閉動作する車両用ドアは、バックドアをさらに含んでもよい。前記閉制御部は、前記バックドアの前記優先順位を、前記操作者の前記閉操作に基づいて決定してもよい。
【００１１】
前記受付部は、前記操作者の前記閉操作を受け付けるドアロックスイッチまたはドアロック用のタッチセンサを含んでもよい。前記車両用ドア制御装置は、前記受付部により前記閉操作が受け付けられた場合に、前記複数の自動閉動作する車両用ドアをロックするロック制御部をさらに備えてもよい。
【発明の効果】
【００１２】
本発明によれば、複数の車両用ドアを自動で閉制御する車両用ドア制御装置において、操作者に複数の車両用ドアの閉動作を目視で確認させやすくできる。
【図面の簡単な説明】
【００１３】
【図１】第１の実施形態に係る車両用ドア制御システムの概略的な構成を示すブロック図である。
【図２】図１の車両用ドア制御システムにおける運転席側のドアロックスイッチの操作に関するフローチャートである。
【発明を実施するための形態】
【００１４】
（第１の実施形態）
図１は、第１の実施形態に係る車両用ドア制御システム１の概略的な構成を示すブロック図である。図１に示すように、車両用ドア制御システム１は、携帯機２と、車両用ドア制御装置１０と、を備える。
【００１５】
携帯機２は、電子キーとも称され、車両の運転者などにより携帯される。携帯機２は、車両に割り当てられた固有の識別情報（キー）を予め記憶しており、車両用ドア制御装置１０と無線通信可能である。
【００１６】
車両用ドア制御装置１０は、複数の自動開閉する車両用ドアを有する車両に搭載され、それらの車両用ドアを開閉制御する。複数の自動開閉する車両用ドアは、左右のスライドドアと、バックドアとを含む。スライドドアは、パワースライドドアとも称され、バックドアは、パワーバックドアとも称される。車両は、自動開閉せずに手動で開閉する車両用ドアも有し、このような車両用ドアは、運転席の車両用ドアと助手席の車両用ドアとを含む。
【００１７】
車両用ドア制御装置１０は、受付部１２と、照合ＥＣＵ１４と、通信部１６と、ボディＥＣＵ１８と、取得部２０と、ドアロック機構２２と、右スライドドアＥＣＵ２４と、左スライドドアＥＣＵ２６と、バックドアＥＣＵ２８と、を備える。
【００１８】
受付部１２は、操作者の車両用ドアの閉操作を受け付ける。受付部１２は、この閉操作を受け付けるドアロックスイッチを含み、ドアロックスイッチは、運転席のドアハンドルと助手席のドアハンドルのそれぞれに設けられている。閉操作は、ドアロックスイッチの一度の操作であり、例えば、ドアロックスイッチの長押しである。車両用ドア制御装置１０は、ドアロックスイッチが押されている期間が比較的短い場合、ドアロックを行う。車両用ドア制御装置１０は、ドアロックスイッチが押されている期間が比較的長い場合、即ち長押しされた場合、ドアロックを行うと共に開状態にある全ての自動開閉する車両用ドアを自動的に閉じる。ドアロックスイッチは、操作者によって押されている間、操作信号を照合ＥＣＵ１４に出力する。
【００１９】
受付部１２は、ドアロックスイッチに替えて、または、ドアロックスイッチに加えて、操作者によってタッチ操作されている間、操作信号を照合ＥＣＵ１４に出力するドアロック用のタッチセンサを含んでもよい。タッチセンサの機能はドアロックスイッチの機能と同様であり、閉操作は、例えば、タッチセンサの長押しである。
【００２０】
照合ＥＣＵ１４は、操作判定部３０と、照合部３２とを有する。操作判定部３０は、受付部１２から出力された操作信号に基づいて、受付部１２が閉操作を受け付けたか、即ちドアロックスイッチが長押しされたか判定する。
【００２１】
照合部３２は、操作判定部３０によりドアロックスイッチが長押しされたと判定された場合、正規のユーザの操作であるか確認するためのキー照合を行う。そのために照合部３２は、通信部１６に、携帯機２の応答を要求するリクエスト信号を含む所定の第１周波数帯域（例えば、ＬＦ（Low Frequency）帯）の電波を送信させる。
【００２２】
携帯機２は、通信部１６から送信された電波からリクエスト信号を取得すると、記憶されている固有の識別情報を含む所定の第２周波数帯域（例えば、ＲＦ（Radio Frequency）帯）の電波を送信する。通信部１６は、携帯機２から送信された電波から識別情報を取得して、当該識別情報を照合部３２に通知する。
【００２３】
照合部３２は、通信部１６から通知された識別情報が正規のものであるか照合し、正規のものである場合、即ちキー照合が成立した場合、ワンモーションクローズ操作意思検出信号（以下、検出信号と呼ぶ）をＣＡＮ（Controller Area Network）などによる通信を用いてボディＥＣＵ１８に送信する。
【００２４】
取得部２０は、複数の手動で開閉する車両用ドア、および、複数の自動開閉する車両用ドアのそれぞれに設けられたカーテシスイッチを含み、それら車両用ドアの開閉状態を取得する。
【００２５】
ドアロック機構２２は、複数の手動で開閉する車両用ドア、および、複数の自動開閉する車両用ドアのそれぞれに設けられ、ドアロックを行う。
【００２６】
ボディＥＣＵ１８は、ロック制御部４０と、閉制御部４２とを有する。ロック制御部４０は、照合部３２から検出信号を受信した場合、即ち受付部１２により閉操作が受け付けられ、且つ、正規のユーザの操作が確認された場合に、ドアロック機構２２を作動させ、複数の手動で開閉する車両用ドア、および、複数の自動開閉する車両用ドアをロックする。ドアロック機構２２が作動すると、開状態の車両用ドアは、閉状態になった時点でロックされる。
【００２７】
閉制御部４２は、照合部３２から検出信号を受信した場合、即ち受付部１２により閉操作が受け付けられ、且つ、正規のユーザの操作が確認された場合に、取得部２０で開状態にあることを取得された全ての複数の自動開閉する車両用ドアを、所定の優先順位に基づいて時間差を設けて閉制御する。閉制御部４２は、取得部２０で開状態にあることを取得された自動開閉する車両用ドアが１つである場合、当該車両用ドアを閉制御する。閉制御部４２は、右スライドドアＥＣＵ２４と、左スライドドアＥＣＵ２６と、バックドアＥＣＵ２８のうち閉制御する車両用ドアに対応するものに、ＣＡＮなどによる通信を用いて閉指示を送信する。
【００２８】
操作者と反対側のスライドドアの優先順位は、操作者側のスライドドアの優先順位より高い。閉制御部４２は、運転席のドアロックスイッチから操作信号が出力された場合、操作者側のスライドドアが右のスライドドアであると判定し、助手席のドアロックスイッチから操作信号が出力された場合、操作者側のスライドドアが左のスライドドアであると判定する。
【００２９】
バックドアの優先順位は、予め定められており、本実施形態では左右のスライドドアの優先順位より高い。但し、バックドアの優先順位は、この例に限定されず、左右のスライドドアの優先順位より低くてもよいし、あるいは、操作者と反対側のスライドドアの優先順位より低く、且つ、操作者側のスライドドアの優先順位より高くてもよい。
【００３０】
右スライドドアＥＣＵ２４は、右のスライドドアを駆動する図示しない右スライドドア駆動部を制御して、右のスライドドアの自動開閉を制御する。右スライドドアＥＣＵ２４は、閉制御部４２から閉指示を受信した場合、閉作動条件が満たされていれば、右のスライドドアを閉作動させる。閉作動条件とは、例えば、ドアロック機構２２によるドアロックが正常に作動していることである。
【００３１】
左スライドドアＥＣＵ２６は、左のスライドドアを駆動する図示しない左スライドドア駆動部を制御して、左のスライドドアの自動開閉を制御する。左スライドドアＥＣＵ２６は、閉制御部４２から閉指示を受信した場合、閉作動条件が満たされていれば、左のスライドドアを閉作動させる。
【００３２】
バックドアＥＣＵ２８は、バックドアを駆動する図示しないバックドア駆動部を制御して、バックドアの自動開閉を制御する。バックドアＥＣＵ２８は、閉制御部４２から閉指示を受信した場合、閉作動条件が満たされていれば、バックドアを閉作動させる。
【００３３】
照合ＥＣＵ１４等の各ＥＣＵはコンピュータを含み、照合ＥＣＵ１４等の各ＥＣＵの各種機能は、ハードウェア的には、回路ブロック、メモリ、その他のＬＳＩで構成することができ、ソフトウェア的には、メモリにロードされたプログラムなどによって実現される。したがって、照合ＥＣＵ１４等の各ＥＣＵの各種機能はハードウェアのみ、ソフトウェアのみ、またはそれらの組合せによっていろいろな形で実現できることは当業者には理解されるところであり、いずれかに限定されるものではない。
【００３４】
図２は、図１の車両用ドア制御システム１における運転席側のドアロックスイッチの操作に関するフローチャートである。図２では、右のスライドドア、即ち運転席側のスライドドアを「ＰＳＤＲ」と表し、左のスライドドア、即ち助手席側のスライドドアを「ＰＳＤＬ」と表し、バックドアを「ＰＢＤ」と表す。
【００３５】
まず、車外にいる操作者により運転席側のドアロックスイッチが長押しされると（Ｓ１０）、照合部３２は、キー照合が成立するか判定する（Ｓ１２）。キー照合が成立しない場合（Ｓ１２のＮ）、Ｓ１０に戻る。キー照合が成立する場合（Ｓ１２のＹ）、ロック制御部４０は、ドアロックを行うと共に、ハザードランプの点灯やブザー音などにより操作者にアンサーバックし（Ｓ１４）、次に閉制御部４２は、取得部２０で取得された車両用ドアの開閉状態を確認する（Ｓ１６）。
【００３６】
Ｓ１６の確認の結果、閉制御部４２は、操作者などによる機能停止操作が行われた場合、または、全ドアが閉状態である場合、処理を終了する。機能停止操作とは、例えば、閉じていた車両用ドアが操作者などにより開かれる操作、操作者によるドアロックスイッチの再操作、または、操作者によるドアハンドルに設けられたアンロックスイッチの操作を含む。全ドアが閉状態である場合、車外からドアハンドルのドアロックスイッチを押すだけで全ドアのドアロックが行われる、いわゆるスマートドアロックが行われたことになる。
【００３７】
Ｓ１６の確認の結果、閉制御部４２は、バックドアが開状態である場合、左右のスライドドアの開閉状態によらず、バックドアの閉作動を開始する（Ｓ１８）。つまり、スライドドアが開状態である場合、バックドアの閉作動の開始がスライドドアの閉作動の開始よりも優先される。
【００３８】
次に、閉制御部４２は、車両用ドアの開閉状態を確認し（Ｓ２０）、左のスライドドアまたは右のスライドドアが開状態であれば、所定時間待機し（Ｓ２２）、Ｓ１６に戻る。所定時間は、特に限定されず、実験などにより最適値を求めることができ、例えば、１秒以下であってもよいし、０．５秒であってもよい。Ｓ２２で所定時間待機することにより、閉制御部４２は、複数の自動開閉する車両用ドアを時間差を設けて閉制御することになる。
【００３９】
Ｓ２０において、左のスライドドアおよび右のスライドドアが閉状態または閉作動中であれば、後述するＳ２８に移行する。
【００４０】
また、Ｓ１６の確認の結果、閉制御部４２は、操作者と反対側のスライドドアである左のスライドドアが開状態であり、且つ、バックドアが閉状態または閉作動中である場合、操作者側のスライドドアである右のスライドドアの開閉状態によらず、左のスライドドアの閉作動を開始する（Ｓ２４）。つまり、操作者側のスライドドアが開状態である場合、操作者と反対側のスライドドアの閉作動の開始が、操作者側のスライドドアの閉作動の開始よりも優先される。Ｓ２４の次に、Ｓ２０に移行する。
【００４１】
また、Ｓ１６の確認の結果、閉制御部４２は、右のスライドドアが開状態であり、左のスライドドアが閉状態または閉作動中であり、且つ、バックドアが閉状態または閉作動中である場合、右のスライドドアの閉作動を開始する（Ｓ２６）。次に、閉制御部４２は、左右のスライドドアとバックドアが閉作動の終了により閉状態になる予定のタイミングにて、全ドアが閉状態であるか確認する（Ｓ２８）。
【００４２】
Ｓ２８の確認の結果、閉制御部４２は、操作者などによる機能停止操作が行われた場合、処理を終了する。機能停止操作は、前述の操作に加え、例えば、閉作動中のドアが操作者などにより強制的に停止させられる操作を含む。
【００４３】
一方、Ｓ２８の確認の結果、全ドアが閉状態である場合、閉制御部４２は、照合部３２と通信部１６を用いて車室内に携帯機２があるか確認し（Ｓ３０）、携帯機２がない場合（Ｓ３０のＮ）、処理を終了する。車室内に携帯機２がある場合（Ｓ３０のＹ）、閉制御部４２は、携帯機２の閉じ込み防止処理、具体的にはアンロックを行い（Ｓ３２）、処理を終了する。Ｓ３０で車室内に携帯機２がある状況としては、Ｓ１２のキー照合の後で、操作者が携帯機２を車室内に置いた場合などが考えられる。
【００４４】
なお、助手席側のドアロックスイッチが操作された場合、次の３つの処理以外は、以上のフローチャートの処理と同様の処理が行われる。即ち、Ｓ１０では、助手席側のドアロックスイッチが長押しされるとＳ１２に移行する。また、Ｓ１６の確認の結果、閉制御部４２は、操作者と反対側のスライドドアである右のスライドドアが開状態であり、且つ、バックドアが閉状態または閉作動中である場合、Ｓ２４で右のスライドドアの閉作動を開始する。また、Ｓ１６の確認の結果、閉制御部４２は、左のスライドドアが開状態であり、右のスライドドアが閉状態または閉作動中であり、且つ、バックドアが閉状態または閉作動中である場合、Ｓ２６で左のスライドドアの閉作動を開始する。
【００４５】
このように本実施形態によれば、開状態にある複数の自動開閉する車両用ドアを、所定の優先順位に基づいて時間差を設けて閉制御するので、車外の操作者に複数の自動開閉する車両用ドアの閉動作を目視で確認させやすくできる。
【００４６】
また、操作者側のスライドドアは、操作者と反対側のスライドドアの閉作動の開始から遅れて閉作動を開始するので、車外の操作者は、操作者と反対側のスライドドアの閉動作を視認する際に、操作者側のスライドドアにより視界を遮られ難い。よって、操作者に、操作者と反対側のスライドドアの閉動作を目視で確認させやすくできる。
【００４７】
また、ドアロックスイッチの一度の閉操作により、開状態にある全てのスライドドアとバックドアを自動的に閉じると共にドアロックを実行できる。従って、利便性を向上できる。
【００４８】
（第２の実施形態）
第２の実施形態では、バックドアの優先順位を変更可能であることが、第１の実施形態と異なる。以下では、第１の実施形態との相違点を中心に説明する。
【００４９】
閉制御部４２は、バックドアの優先順位を、操作者の閉操作に基づいて決定する。例えば、閉制御部４２は、ドアロックスイッチの長押しの時間に応じてバックドアの優先順位を決定してもよい。
【００５０】
バックドアを優先的に閉じることが好ましいか否かは、操作者の状況、同乗者の状況、または、車両周囲の状況などに応じて異なる場合がある。このような場合にも、本実施形態ではバックドアの優先順位を操作者の閉操作に基づいて決定するので、バックドアを閉じる順序を操作者に決定させることができる。従って、車外の操作者に、複数の自動開閉する車両用ドアの閉動作を状況に応じてより適切に目視で確認させやすくできる。
【００５１】
以上、実施形態をもとに本発明を説明した。実施形態はあくまでも例示であり、各構成要素や各処理プロセスの組合せにいろいろな変形例が可能なこと、またそうした変形例も本発明の範囲にあることは当業者に理解されるところである。
【００５２】
例えば、第１および第２の実施形態では、車両のドアハンドルに設けられたドアロックスイッチやタッチセンサが操作者の閉操作を受け付ける例について説明したが、これに限らない。車両とは別の携帯機２や図示しないリモコンなどに設けられたドアロックスイッチやタッチセンサが、操作者の閉操作を受け付ける受付部として機能してもよい。この場合、閉制御部４２は、通信部１６が携帯機２またはリモコンから受信する電波の方向に基づいて、操作者側のドアが左のスライドドアであるか右のスライドドアであるか判定することができる。この変形例によれば、車両に触れることなく開状態にある全てのスライドドアとバックドアを閉じることができるので、第１および第２の実施形態の効果に加え、利便性をより向上できる。
【００５３】
また、左右のスライドドアが自動開閉すればよく、バックドアは、自動開閉せず、手動で開閉されるように構成されてもよい。この変形例では、第１および第２の実施形態の効果に加え、車両用ドア制御システム１を低コスト化できる。
【符号の説明】
【００５４】
１…車両用ドア制御システム、２…携帯機、１０…車両用ドア制御装置、１２…受付部、１４…照合ＥＣＵ、１６…通信部、１８…ボディＥＣＵ、２０…取得部、２２…ドアロック機構、２４…右スライドドアＥＣＵ、２６…左スライドドアＥＣＵ、２８…バックドアＥＣＵ、３０…操作判定部、３２…照合部、４０…ロック制御部、４２…閉制御部。
【図１】
2018115508.tif 000003
【図２】
2018115508.tif 000004